(57)【要約】【課題】複数回にわたって放送される連続番組を、前回録画した番組を消去してから今回の番組録画をするような自動更新録画機能を備えた録画再生装置において、録画した番組の自動消去の間隔をユーザーが任意に設定できるようにすることを課題とする。【解決手段】予約録画データ入力手段に、更新間隔を入力する手段を設けて、予約録画実行時に、録画した番組に対して予約ＩＤおよび次回更新日からなる自動更新対象管理データを更新する。次回の録画実行時には、前記の自動更新対象管理データを参照し、自動更新対象番組が記録媒体に存在し、かつ現在日時が次回更新日に達していることを判断すると、更新対象番組を自動消去し、今回の予約番組を録画する。自動更新対象番組は存在するが、現在日時が更新日に達していない場合は、更新対象を消去せず、今回の予約番組を録画する。【選択図】  図１
2004180061.tif 000002
【特許請求の範囲】
【請求項１】
符号化された映像データを少なくとも含むコンテンツを記録する記録媒体を有し、映像データの記録および再生および編集を行うことが可能なデータ記録再生装置において、
更新録画条件を含む予約録画データを設定する予約録画データ設定手段を備えた予約録画データ入力手段と、
前記予約録画データを生成及び参照する予約録画データ管理手段と、
前記予約録画データを退避する予約録画データ退避手段と、
前記予約録画データに基づいて録画要求および更新要求を行う予約録画実行手段と、
前記記録媒体に前記録画要求に基づいて番組を記録する録画実行手段と、
前記予約録画データとの対応情報を有する自動更新対象管理データを生成および参照する更新対象番組データ管理手段と、
前記自動更新対象管理データを退避する自動更新対象管理データ退避手段と、前記自動更新対象管理データと前記更新要求に基づいて更新対象の番組を判定する更新対象番組判定手段と、
前記更新対象番組判定手段が判定した結果に基づいて前記記録媒体に記録された更新対象番組を消去する番組消去実行手段を備え、
更新録画条件に基づいた更新処理を予約録画時に実行することを特徴とする自動更新録画機能を有した録画再生装置。
【請求項２】
前記更新録画条件と録画済み番組一覧の表示を行う番組一覧表示手段を備え、前記更新録画条件を番組一覧表に表示することを特徴とする請求項１記載の自動更新録画機能を有した録画再生装置。
【請求項３】
前記更新録画条件により録画された番組かどうかを判定する更新対象番組判定手段を備え、
更新録画で録画された番組のみを一覧表示することを特徴とする請求項１記載の自動更新録画機能を有した録画再生装置。
【請求項４】
前記更新録画条件により録画された録画済み番組の視聴終了を判定する視聴終了判定手段を備え、
前記更新録画条件又は前記視聴終了判定結果により視聴終了した録画済み番組を消去することを特徴とする請求項１記載の自動更新録画機能を有した録画再生装置。
【請求項５】
前記更新録画条件により録画された録画済み番組のファイルサイズを予約録画データより算出する残量管理手段を備え、
更新録画領域を確保することを特徴とする請求項１記載の自動更新録画機能を有した録画再生装置。
【請求項６】
符号化された映像データを少なくとも含むコンテンツを記録する記録媒体を有し、映像データの記録および再生および編集を行うことが可能なデータ記録再生方法において、
更新録画条件を含む予約録画データを設定する予約録画データ設定ステップを備えた予約録画データ入力ステップと、
前記予約録画データを生成及び参照する予約録画データ管理ステップと、
前記予約録画データを退避する予約録画データ退避ステップと、
前記予約録画データに基づいて録画要求および更新要求を行う予約録画実行ステップと、
前記記録媒体に前記録画要求に基づいて番組を記録する録画実行ステップと、前記予約録画データとの対応情報を有する自動更新対象管理データを生成および参照する更新対象番組データ管理ステップと、
前記自動更新対象管理データを退避する自動更新対象管理データ退避ステップと、
前記自動更新対象管理データと前記更新要求に基づいて更新対象の番組を判定する更新対象番組判定ステップと、
前記更新対象番組判定結果に基づいて前記記録媒体に記録された更新対象番組を消去する番組消去実行ステップを備え、
更新録画条件に基づいた更新処理を予約録画時に実行することを特徴とする自動更新録画機能を有した録画再生方法。
【請求項７】
符号化された映像データを少なくとも含むコンテンツを記録する記録媒体を有し、映像データの記録および再生および編集を行うことが可能なデータ記録再生装置において、
更新録画条件を含む予約録画データを設定する予約録画データ設定ステップを備えた予約録画データ入力ステップと、
前記予約録画データを生成及び参照する予約録画データ管理ステップと、
前記予約録画データを退避する予約録画データ退避ステップと、
前記予約録画データに基づいて録画要求および更新要求を行う予約録画実行ステップと、
前記記録媒体に前記録画要求に基づいて番組を記録する録画実行ステップと、前記予約録画データとの対応情報を有する自動更新対象管理データを生成および参照する更新対象番組データ管理ステップと、
前記自動更新対象管理データを退避する自動更新対象管理データ退避ステップと、
前記自動更新対象管理データと前記更新要求に基づいて更新対象の番組を判定する更新対象番組判定ステップと、
前記更新対象番組判定結果に基づいて前記記録媒体に記録された更新対象番組を消去する番組消去実行ステップを備え、
更新録画条件に基づいた更新処理を予約録画時に実行するためのコンピュータプログラム。
【発明の詳細な説明】
【０００１】
【発明の属する技術分野】
本発明は、録画再生装置および録画再生方法の特に予約録画に関する。
【０００２】
【従来の技術】
ハードディスクやＤＶＤ−ＲＡＭなどの記録媒体の大容量化、低価格化、記録媒体への記録再生アクセス速度の高速化、記録再生伝送速度の高速化、および動画を含む画像信号および音声信号を圧縮符号化する処理の高速化が進んだことに伴い、これらの技術を用いて、テレビジョン番組の画像信号および音声信号を圧縮符号化して記録し、復号して再生することができる画像記録装置が開発されるようになってきた。
このような画像記録装置によれば、ハードディスクに代表される大容量の記録媒体に複数のテレビジョン番組の画像信号および音声信号を記録することが可能となる。このため、複数の番組を予約録画することができるように、録画する番組を設定する機能と、設定された番組を記録媒体に記録する記録制御機能とを持たせるようにすることが望ましい。
例えば、番組を予約して録画できる機能を有する画像記録装置では、ユーザーは連続ドラマのように複数回にわたって放送される番組の録画を予約する場合、一つの録画予約で毎回の番組を録画予約することができる。
【０００３】
しかしながら、この場合、複数回にわたって放送される番組を録画すると、全ての放送回を記録するために必要な記録容量は膨大になる。
また、そのためにユーザーが記録された放送回のうち、すでに視聴した放送回など保存を必要としない放送回については、その都度、消去操作によって番組を消去する必要があり、ユーザーの負担が多大となる。
そこで、複数回にわたって放送される番組を一つの録画予約で録画する場合に、前回の放送時に記録した番組を今回の放送時に記録を実行する直前（１分前など）に自動的に消去することにより、複数回にわたって放送される番組の録画が予約されたときでも、全ての放送回を記録するために消費される容量を増加させることなく、ユーザーの消去操作の負担を軽減することができるようにしているものがある。（例えば、特許文献１参照）。
【０００４】
【特許文献１】
特開２００２−３３９８６号公報
【０００５】
【発明が解決しようとする課題】
ここでは、前記のように複数回にわたって放送される番組を一つの予約で録画するように設定した場合に、前回録画した番組を自動的に消去してから今回の放送を録画する方法を自動更新録画と定義する。
この自動更新録画の機能を備えた録画再生装置においては、前回録画された番組が未視聴の番組、または視聴が完了していない番組であっても、次回の放送開始時には自動的に消去されてしまい、録画した番組を見ることが出来ないという問題がある。
【０００６】
以下、図２から図５を参照しながら本発明が解決しようとする課題について具体的に説明する。
図２の予約録画データ２００のように月曜日から金曜日までの毎週録画で、自動更新録画の設定を「入」で予約した場合において、月曜日（Ｔ１）から金曜日（Ｔ５）の期間に出張等が入り、録画された番組が５日間（Ｔ１〜Ｔ５の期間）視聴することが出来なくなった場合を考える。
金曜日の時点（Ｔ５）で視聴できる番組は、金曜日（Ｔ５）に録画された１話分のみであり、月曜日から木曜日（Ｔ１〜Ｔ４）に放送された４話分は既に自動更新録画で消去されているので視聴することが出来ない。
この場合、ユーザーは出張日（Ｔ１）の前日に自動更新録画設定を「切」にしておけば、月曜日から木曜日（Ｔ１〜Ｔ４）に録画された番組は自動消去されないので全５話ともに視聴可能となる。しかし５話分の視聴完了後に、全ての番組を手動で消去する必要がある。
さらに、次回Ｔ８から自動更新録画で録画するためには、自動更新録画設定を「入」に戻す必要があり、ユーザー操作に対して大きな負担となる。
【０００７】
また、予約録画を図３の自動更新録画設定例１のように各曜日毎に登録すれば、１週間単位での自動更新録画は可能となるが、同一時間帯の予約を複数回登録する必要があり、予約録画の登録数が制限されているような録画再生装置においては、予約設定可能な予約登録数を曜日分（この場合は５番組）だけ消費することになり、残りの予約可能登録数が減ってしまう。
また、複数回（この場合は５回）の登録作業が必要となるので、ユーザーの操作回数も増えることになり予約録画設定に多大な手間がかかる。
また、上記の手段により１週間単位での自動更新録画は可能となるが、２週間や１ヶ月といった任意の単位での自動更新録画は従来の設定方法では実現できない。
よって従来の技術で解決しようとすると上記３つの課題が発生する。
【０００８】
そこで本発明では、図４に示す自動更新録画設定例２のように、１つの予約録画設定で、ユーザー操作の手間をかけることなく、任意の間隔で録画番組の自動更新録画が設定可能となることを目的とする。
【０００９】
【課題を解決するための手段】
本発明では、予約録画データ入力手段に更新日入力手段を備えることにより、前記の従来技術における課題を解決する。
図５は予約録画データを入力するための予約録画データ設定画面である。
更新条件入力手段５０１では、設定内容として１週間、１ヶ月、毎回、などの自動更新録画の更新間隔、すなわち自動更新録画により録画された番組が自動消去されるまでの視聴有効期間を設定する。
そして、自動更新録画による予約録画を実行した際に、設定された更新間隔に基づいて今回録画した番組の次回更新日を決定し、録画番組の更新日を管理する自動更新対象管理データを作成する。
そして、次回の自動更新録画による予約録画実行時に、前記自動更新対象管理データを参照して、前回録画した番組の更新日が現在日時と同一日かどうかを判定し、条件を満たしていない場合は、番組の消去は行わずに、新規番組の録画のみを実行する。
条件を満たしている場合には、前回録画された番組を消去した後に、新規番組の録画を実行する。
【００１０】
また、自動更新録画によって録画された番組の次回更新日を番組一覧の項目として表示することにより、自動更新録画によって録画された番組がいつまで視聴可能であるかの検索性を向上することができる。
また、番組一覧表示の際に、自動更新録画された番組のみを表示することにより、さらに、自動更新録画の番組の検索性を向上させることができる。
以上のようにして、本発明では、前記の課題を解決する。
【００１１】
【発明の実施の形態】
以下、本発明の実施の形態について、図１および、図６から図１６を用いて説明する。
（実施の形態１）
この実施の形態において、本発明は、記録媒体としてハードディスクドライブやＤＶＤ−ＲＡＭを備えた録画再生装置に応用される。
図１に示すように、この記録再生装置には、アンテナ１０１及びモニター１０２が接続されている。この記録再生装置は、アンテナ１０１で受信された電波から得られた映像及び音声を記録媒体１０３に記録し、記録された映像をモニター１０２上で再生することができる。
記録再生装置のチューナー１０４は、アンテナ１０１で受信された電波から目的のチャンネルを選局し、そのチャンネルの映像及び音声をエンコーダ１０５に与える。エンコーダ１０５は、与えられた映像及び音声を所定の記録形式で符号化する。エンコーダ１０５により符号化されたデータは、記録媒体１０３に記録される。デコーダ１０６は、記録媒体１０３に記録されたデータを復号化し、復号化した映像のデータをオーバーレイ部１０７に出力する。また、ＯＳＤ表示部１０８は、記録再生装置の動作設定や状況を表す表示データを作成する。オーバーレイ部１０７は、デコーダ１０６からの映像のデータにＯＳＤ表示部１０８からの表示データを合成した所定の表示形式の映像を生成する。オーバーレイ部１０７により生成された映像が、モニター１０２上に表示される。
【００１２】
モニター１０２に表示された映像を見る指示やその他の記録再生装置に対する指示をユーザーが行うのに、例えばリモコン１０９が用いられる。ユーザーがリモコン１０９を用いて指示を入力すると、ユーザー入力部１１０が、リモコン１０９からの入力を受け付け、その内容をＣＰＵ１１１に伝える。ＣＰＵ１１１は、バス１１２を通じて行われるデータ転送や記録再生装置における各種の処理を制御する。ＲＯＭ１１３には、プログラムが記録されており、ＣＰＵ１１１は、ＲＡＭ１１４を用いながら、このプログラムに従って動作する。
ＲＯＭ１１３に記録されたプログラムには、本発明によって提供される記録プログラムが含まれる。ＣＰＵ１１１やＲＯＭ１１３、ＲＡＭ１１４などによって構成される録画再生装置内のコンピュータと、この記録プログラムが協働することによって、録画再生装置は、本発明によって提供される録画装置として機能する。
【００１３】
図６は実施の形態１における録画再生装置のブロック図を示す。図６において
６００は、録画再生装置である。
６０１は、更新条件設定手段を備えた予約録画データ入力手段である。
６０２は、予約録画データを記録・管理する予約録画データ管理手段である。
６０３は、予約録画データに基づき予約録画を実行する予約録画実行手段である。
６０４は、記録媒体に録画を行う録画実行手段である。
６０５は、更新録画された番組を管理する更新対象番組データ管理手段である。
６０６は、更新対象の番組を判定する更新対象番組判定手段である。
６０７は、記録媒体に録画された番組を消去する番組消去実行手段である。
６０８は、映像を記録するための記録媒体である。
６０９は、予約録画の設定内容を示す予約録画データである。
６１０は、更新対象の番組と更新条件を示す自動更新対象管理データである。
６１１は、現在日時情報を管理するクロックである。
【００１４】
以上のように構成された録画再生装置について、その動作を以下に述べる。
図７は、録画再生装置６００における自動更新録画処理ルーチンを示す。
図８は自動更新録画の動作例を示した図である。
図９は予約録画データのデータ構造であり、図８の予約録画データ８００の設定を行った場合の予約録画データの内容である。
【００１５】
以下、図８における時点Ｔ１で、予約録画データ８００に示す予約録画データを設定した場合を考える。
まず、ユーザーが図８の時点Ｔ１において、予約録画データ８００を図６の予約録画データ入力手段６０１を利用して入力すると、予約録画データ８００が図６の予約録画データ管理手段６０２によってＲＡＭ上に退避される予約録画データ６０９に書き込まれる。このとき予約録画データ６０９は図９に示すデータ構造で書き込まれる。
ステップＳ１において、予約録画実行手段６０３は、クロック６１１からの現在の日時情報と、予約録画データ６０９に記憶している録画開始日時情報とを比較して、現在日時が録画開始日時に達したか否かを判断し、達したときにはステップＳ２に進む。
ステップＳ２では、予約録画データ６０９を参照して現在実行中の予約録画が自動更新録画であるかどうかを判断し、自動更新録画であればステップＳ３に進む。予約録画データ８００の場合、更新間隔を１週間と指定しているので、自動更新録画であると判断し、ステップＳ３に進む。
ステップＳ３では、自動更新録画対象の番組が過去に録画されていて、かつ記録媒体６０８に保存されているか否かを判断する。そして、過去に自動更新対象番組が録画されていないとき（時点Ｔ１のとき）、または記録されていても消去されているときには、ステップＳ３からステップＳ６に進む。
【００１６】
ステップＳ６では、録画実行手段６０４が予約録画実行手段６０３から録画要求を受け、予約設定された番組を記録媒体６０８に録画する。また、録画した番組の情報（予約ＩＤおよび次回更新日）を更新対象番組データ管理手段６０５によりＲＡＭ上に退避される自動更新対象管理データ６１０に書き込む。
ここで、自動更新対象管理データ６１０のデータ構造は図１０に示す通りである。自動更新対象管理データ６１０は、番組ＩＤ、予約ＩＤ、更新日から構成され、番組ＩＤは、記録媒体に録画された番組を指し示すＩＤであり、予約ＩＤは、予約録画データのどの予約によって録画されたかを指し示すＩＤであり、更新日は、録画番組の次回更新日である。
ステップＳ３において自動更新録画対象の番組が過去に録画されていて、かつ記録媒体６０８に保存されている場合（時点Ｔ２〜Ｔ５、およびＴ８の場合）には、ステップＳ３からステップＳ４に進む。
ステップＳ４では、自動更新対象管理データ６１０を参照して、現在実行中の予約ＩＤと同じ予約ＩＤの番組を検索し、その番組の更新日とクロック６１１からの現在日時情報とを比較して、更新日と現在日時が一致している場合（時点Ｔ８のとき）は、ステップＳ４からステップＳ５に進む。
ステップＳ５では、記録媒体に記録されている更新対象番組を消去した後、自動更新対象管理データ６１０から消去した番組の情報を消去する。そして、ステップＳ６に進んで、前記ステップＳ６での録画動作および自動更新対象管理データ６１０の更新を実行する。
また、ステップＳ４において更新条件を満たしていない場合（時点Ｔ２〜Ｔ５の場合）は、ステップＳ４からステップＳ６に進んで、前記ステップＳ６での録画処理および自動更新対象管理データ６１０の更新を実行する。
【００１７】
以上のように、自動更新録画により予約録画された番組を消去する条件をユーザーが任意に指定する手段を設けることにより、ユーザー操作に多大な負担をかけることなく、任意の更新間隔で自動更新録画を実行することが可能となる。
なお、上記の説明では更新間隔を１週間として特定して記述したが、更新間隔は１週間に限らず、毎回、２日間、１ヶ月間、毎週土曜日などのように設定しても良い。
また、更新間隔を日単位ではなく同一予約録画による録画実行回数単位としても良い。
また、上記では現在日時と更新日が一致している場合のみ前回録画した番組を消去する（図７のステップＳ４での判定）としたが、その番組の自動更新実行日に、更新対象の番組に対して消去を禁止するような設定もしくは操作がなされており、番組消去できない場合もあるので、現在日時が更新日以降であれば、前回録画された番組を消去すると判定しても良い。
【００１８】
（実施の形態２）
図１１は実施の形態２における録画再生装置のブロック図を示す。図１１において、１１００は、録画再生装置である。
６０３〜６０８は、実施の形態１で記述した録画再生装置の構成と同じである。
１１０１は、記録媒体に録画された番組情報を管理する番組データ管理手段である。
１１０２は、録画された番組の更新条件を取得する更新条件取得手段である。
１１０３は、録画された番組の一覧表示を行う番組一覧表示手段である。
実施の形態１で説明した、図６の予約録画データ入力手段６０１、予約録画データ管理手段６０２、およびクロック６１１は、図１１では省略しているが、録画再生装置１１００の構成要素として存在するものとする。
【００１９】
以上のように構成された録画再生装置について、以下にその動作を述べる。
図１２は、番組一覧表示手段１１０３が番組表示一覧に更新日の表示を行う更新日表示処理ルーチンの処理内容を示す。
ステップＳ１において番組一覧表示手段１１０３は番組データ管理手段１１０１より記録媒体６０８に録画されている番組の総数を取得する。
ステップＳ２において、番組一覧表示手段１１０３は番組データ管理手段１１０１より記録媒体６０８に録画された番組の録画日時、録画チャンネル、番組タイトルなどの番組一覧表に表示する番組情報を取得する。
ステップＳ３では、更新条件取得手段１１０２は更新対象番組データ管理手段６０５より更新日を取得する。
ステップＳ４では、番組一覧表示１１０３で番組番号、録画日時、録画チャンネル、番組タイトルなどの番組情報、および更新日を表示する。
ステップＳ５では、全ての番組について表示したかどうかを判定し、全ての番組を表示するまでステップＳ２からステップＳ４を繰り返す。
【００２０】
以上のようにして、番組一覧表示に更新録画された番組の次回更新日を表示することで、記録媒体に多数の番組が録画されていたとしても、どの番組が更新録画で録画された番組かをユーザーが容易に確認することが出来る。
さらに、ユーザーは更新録画で録画された番組が、いつ消去されるのかを容易に確認することが可能となるので、未視聴の番組が自動更新録画によって消去されてしまうことを防止することが可能となる。
なお、上記では番組一覧表示において、記録媒体に記録されている全ての番組を表示し、自動更新録画で録画された番組については、次回更新日を表示すると説明したが、自動更新対象番組のみを表示するようにしても、同様の効果が得られると共に、さらに自動更新対象の番組の検索性を向上させることができる。
また、更新対象番組のみを表示するようにした場合、更新日順に表示するようにしても、同様の効果が得られると共に、さらに自動更新対象の番組の検索性を向上させることができる。
【００２１】
（実施の形態３）
また、実施の形態１では、更新条件を日付単位で管理するようにしているが、実施の形態２における録画再生装置の構成において、更新条件を記録媒体に録画可能な残り番組数の単位で設定できるように変更し、図７のステップＳ４において、実施の形態２における番組データ管理手段１１０１より記録媒体６０８の総番組数を取得し、録画可能な残り番組数が更新条件未満であれば、図７のステップＳ５に進み、自動更新対象の番組を消去するようにする。
以上のようにして、自動更新録画により録画された番組を毎回自動消去するのではなく、記録媒体に録画可能な番組数が残り少なくなってきてから自動更新することにより、毎回自動消去する場合に比べて、録画した番組を長期間保存しておくことが可能となるので、未視聴の番組が自動消去される可能性を低減することになる。
また、録画番組数がいっぱいで予約録画が実行できなくなる可能性を低減させることが可能となる。
【００２２】
なお、上記説明では、更新条件を録画可能な残りの番組数としたが、録画可能な残容量もしくは、録画可能な残時間としても同様の効果が得られる。
また、更新条件を実施の形態１で記述した更新間隔と併用することで、録画可能な残り番組数に余裕があるときは、更新間隔にしたがって更新するが、録画可能な残り番組数に余裕がなくなると、更新日に達していない番組であっても、録画可能な残り番組数が設定値以下になると、自動更新対象の番組を消去するようにしても良い。
【００２３】
（実施の形態４）
図１３は実施の形態４における録画再生装置のブロック図を示す。図１３において、１３００は、録画再生装置である。
６０３〜６０８は、実施の形態１で記述した録画再生装置の構成と同じである。
１３０１は、記録媒体に録画された番組の再生制御を行う再生実行手段である。
１３０２は、指定した番組が視聴済みかどうかを判定する視聴終了判定手段である。
実施の形態１で説明した、図６の予約録画データ入力手段６０１、予約録画データ管理手段６０２、およびクロック６１１は、図１３では省略しているが、録画再生装置１３００の構成要素として存在するものとする。
【００２４】
以上のように構成された録画再生装置について、以下にその動作を述べる。
図１４は、視聴終了した番組が自動更新録画により録画された番組の場合に、自動的に番組を消去する処理ルーチンを示す。
ステップＳ１において、視聴終了判定手段１３０２は再生実行手段１３０１からの再生終了通知を待ち受けており、再生終了通知を受け取るとステップＳ２に進む。ここで再生終了通知とは、現在視聴している番組の最後まで再生した場合や、ユーザー操作により再生を停止した場合において、その番組の再生が終了したことを知らせる通知のことである。
ステップＳ２では、再生終了通知を受けて、その番組が最後まで視聴されたかどうかを視聴終了判定手段１３０２で判定し、視聴完了と判定した場合はステップＳ３に進み、視聴未完了と判定した場合は処理を終了する。
ステップＳ３では、視聴完了と判定された番組が自動更新録画により録画された番組かどうかを更新対象番組判定手段６０６で判定し、自動更新録画で録画された番組と判定された場合は、ステップＳ４に進み、自動更新録画で録画された番組と判定されなければ処理を終了する。
ステップＳ４では、自動更新録画で録画された番組と判定された番組の番号を、番組消去手段６０７に通知して、指定の番組を記録媒体６０８から消去する。そして自動更新対象管理データ６１０から消去した番組の情報を消去する。
【００２５】
以上のようにして、自動更新録画によって録画された番組の視聴が完了したときに、自動的に番組を消去することにより、更新日前であっても更新対象番組を自動的に消去することが出来る。
自動更新録画で録画された番組は、視聴終了後は保存の必要がないものと思われるので、その不要な番組を更新日よりも前に自動的に消去することにより、記憶媒体の空き容量が自動的に増加し、ユーザーに負担をかけることなく記録媒体の空き容量を有効的に利用することが可能となる。
【００２６】
なお、上記では視聴済みの自動更新録画番組を自動的に消去すると説明したが、自動的に消去せず、番組消去の実行を確認する画面を表示させて、ユーザーが消去するか否かを判断させるようにしても良い。
また、上記では視聴済みの自動更新録画番組を自動的に消去すると説明したが、自動的に消去せず、視聴済みの番組かどうかを記録媒体に記録しておいて、番組一覧表示で視聴済みもしくは未視聴を示す表示を行ってもよい。この場合、視聴済みの番組を消去するかしないかは、ユーザーの判断によって決定することが可能となる。
【００２７】
また、実施の形態２で記述した自動更新録画によって録画された番組のみの番組一覧表示を行う録画再生装置と、実施の形態４で記述した視聴済み判定を利用する録画再生装置の各構成を組み合わせた録画再生装置において、前記のように番組視聴終了時に視聴済みの番組かどうかを記録媒体に記録しておき、ある期間以内（例えば、３日以内）に自動更新録画によって自動的に消去される未視聴番組が記録媒体に存在する場合に、録画再生装置の電源を入れたときに、自動的にその更新対象番組のみの番組一覧表示するようにすることで、まもなく自動消去される未視聴番組が記録媒体にあることをユーザーに知らせることが可能となる。
【００２８】
（実施の形態５）
図１５は実施の形態５における録画再生装置のブロック図を示す。図１１において、１５００は、録画再生装置である。
６０１〜６０８は、実施の形態１で記述した録画再生装置の構成と同じである。
１５０１は、記録媒体６０８の録画可能残量の管理を行う残量管理手段である。
【００２９】
以上のように構成された録画再生装置について、以下にその動作を述べる。
図１６は、記録媒体に録画可能な空き容量がなくなった場合の自動更新録画の動作をグラフで表現した図である。
図１６の（１）は自動更新録画によって録画された番組が記録媒体上に少なくとも１つは存在する状態を示した図である。
（２）は（１）で示した状態の記録媒体に対し、残量がなくなるまで録画を行った状態を示した図である。
（３）は（２）で示した状態の記録媒体に対し、自動更新録画が実行され前回録画された番組を消去した後の記録媒体の状態を示した図である。また、（３）の空き容量部分の下に示す棒状の図は、今回の録画で必要なサイズを示しており、空き容量部分（前回の録画容量）よりも大きいことを示している。この容量の差（不足容量）は、前回録画した番組を部分的に消去した場合や、前回録画した時よりも、高いビットレートで録画した場合に発生する。
（４）は自動更新録画によって録画された番組の録画サイズを、予約の設定内容から求めた録画最大サイズに置き換えて残量（録画許可容量）を計算した場合を示した図である。
（５）は（４）で求めた録画許可容量に従って、残量がなくなるまで録画を行った状態を示した図である。
この状態（５）で、前回録画された更新対象番組を消去すれば、次回の自動更新録画に必要となる録画最大サイズが確保できるので、次回の自動更新録画が容量不足により失敗することが防止できる。
【００３０】
【発明の効果】
以上のように本発明によれば、ユーザー操作に多大な負担をかけることなく、１つの予約録画設定だけで、自動更新録画において任意の更新間隔を設定できるという効果が得られる。
また、本発明によれば、番組一覧表示に自動更新録画によって録画された番組の次回更新日が表示されるので、ユーザーはどの番組が自動更新録画の対象なっているかの確認が容易にでき、更新日の近い番組から視聴することが容易に可能となるという効果が得られる。
また、本発明によれば、自動更新録画の更新対象番組が、設定された更新日前であっても、番組視聴完了時に自動消去するので、ユーザーにとって不要となった番組を記録媒体から自動的に消去するので、記録媒体の容量を有効利用できるようになるという効果が得られる。
また、本発明によれば、自動更新録画を実施した際に、その自動更新録画に必要な空き容量を事前に確保するため、２回目以降の更新録画が記憶媒体の容量不足により録画が失敗することがないという効果が得られる。
【図面の簡単な説明】
【図１】本発明における録画再生装置の基本構成図を示す図。
【図２】従来技術による自動更新録画の動作例の説明に使用する図。
【図３】従来技術による自動更新録画の予約録画データ設定例を示す図。
【図４】本発明による自動更新録画の予約録画データの設定例を示す図。
【図５】本発明における予約録画設定画面での更新日入力手段の一例を示す図。
【図６】本発明の実施の形態１における録画再生装置の構成を示す図。
【図７】本発明の実施の形態１における自動更新録画処理の手順を示すフローチャート。
【図８】本発明の実施の形態１における自動更新録画の動作例を示す図。
【図９】本発明の実施の形態１における予約録画データのデータ構造を示す表。
【図１０】本発明の実施の形態１における自動更新対象管理データのデータ構造を示す表。
【図１１】本発明の実施の形態２における録画再生装置の構成を示す図。
【図１２】本発明の実施の形態２における更新日表示処理の手順を示すフローチャート。
【図１３】本発明の実施の形態４における録画再生装置の構成を示す図。
【図１４】本発明の実施の形態４における視聴済新対象番組の自動消去処理の手順を示すフローチャート。
【図１５】本発明の実施の形態５における録画再生装置の構成を示す図。
【図１６】本発明の実施の形態５における残量管理方法の説明に使用する図。
【符号の説明】
１０１  アンテナ
１０２  モニター
１０３  記録媒体
１０４  チューナー
１０５  エンコーダ
１０６  デコーダ
１０７  オーバーレイ部
１０８  ＯＳＤ表示部
１０９  リモコン
１１０  ユーザー入力部
１１１  ＣＰＵ
１１２  バス
１１３  ＲＯＭ
１１４  ＲＡＭ
１１５  予約録画データ入力手段
１１６  予約録画データ管理手段
１１７  予約録画実行手段
１１８  録画実行手段
１１９  更新対象データ管理手段
１２０  更新対象番組判定手段
１２１  番組消去実行手段
１２２  予約録画データ
１２３  自動更新対象管理データ
２００  予約録画データ
５００  予約録画データ設定画面
５０１  更新条件入力手段
６００  録画再生装置
６０１  予約録画データ入力手段
６０２  予約録画データ管理手段
６０３  予約録画実行手段
６０４  録画実行手段
６０５  更新対象番組データ管理手段
６０６  更新対象番組判定手段
６０７  番組消去実行手段
６０８  記録媒体
６０９  予約録画データ
６１０  自動更新対象管理データ
８００  予約録画データ
１１００  録画再生装置
１１０１  番組データ管理手段
１１０２  更新条件取得手段
１１０３  番組一覧表示手段
１３００  録画再生装置
１３０１  再生実行手段
１３０２  視聴終了判定手段
１５００  録画再生装置
１５０１  残量管理手段
【図１】
2004180061.tif 000003
【図２】
2004180061.tif 000004
【図３】
2004180061.tif 000005
【図４】
2004180061.tif 000006
【図５】
2004180061.tif 000007
【図６】
2004180061.tif 000008
【図７】
2004180061.tif 000009
【図８】
2004180061.tif 000010
【図９】
2004180061.tif 000011
【図１０】
2004180061.tif 000012
【図１１】
2004180061.tif 000013
【図１２】
2004180061.tif 000014
【図１３】
2004180061.tif 000015
【図１４】
2004180061.tif 000016
【図１５】
2004180061.tif 000017
【図１６】
2004180061.tif 000018